【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
複数種の入力情報を入力可能な入力手段と、
複数種の消去選択肢を記憶する消去選択肢記憶手段と、
前記入力情報および前記消去選択肢を表示する表示手段と、を備え、
前記表示手段は、前記消去選択肢記憶手段に記憶された複数種の消去選択肢のうち、前記入力手段により入力された入力情報の種類に対応した消去選択肢のみを表示することを特徴とする情報処理装置。
【請求項２】
前記表示手段は、
前記入力情報の編集位置を示し、かつ複数の入力情報間を移動可能なカーソルをさらに備え、
前記カーソルの位置する入力情報の種類に対応した消去選択肢を表示することを特徴とする請求項１に記載の情報処理装置。
【請求項３】
前記複数種の入力情報には、墨字印刷を行うための墨字情報および点字打刻を行うための点字情報が含まれ、
前記表示手段は、前記入力情報における前記点字情報の有無に対応した消去選択肢を表示することを特徴とする請求項１に記載の情報処理装置。
【請求項４】
前記消去選択肢には、前記入力情報を一括消去する全文消去、前記墨字情報を段落単位で消去する段落消去、および前記点字情報を一括消去する点字消去が含まれており、
前記表示手段は、
前記入力情報の種類が前記墨字情報のみの場合は、前記消去選択肢として全文消去および段落消去を表示し、
前記入力情報の種類が前記点字情報のみの場合は、前記消去選択肢として全文消去および点字消去を表示し、
前記入力情報の種類が前記墨字情報および前記点字情報の場合は、前記消去選択肢として全文消去、段落消去および点字消去を表示することを特徴とする請求項３に記載の情報処理装置。
【請求項５】
前記表示手段は、
前記入力情報の編集位置を示し、かつ複数の入力情報間を移動可能なカーソルをさらに備え、
前記入力情報の種類が前記墨字情報および前記点字情報の場合であって、
前記カーソルが前記墨字情報に位置する場合、
前記消去選択肢として全文消去、段落消去および点字消去を表示し、
前記カーソルが前記点字情報に位置する場合、
前記消去選択肢として全文消去および点字消去を表示することを特徴とする請求項３または４に記載の情報処理装置。
【請求項６】
請求項３ないし５のいずれかに記載の情報処理装置と、
前記墨字情報に基づいて、処理シートに墨字を印刷する墨字印刷手段と、
前記点字情報に基づいて、前記処理シートに点字を打刻する点字打刻手段と、を備えたことを特徴とする印刷・打刻複合装置。
【請求項７】
複数種の入力情報を入力可能な情報処理装置の表示方法であって、
記憶している複数種の消去選択肢のうち、入力された入力情報の種類に対応した消去選択肢のみを表示することを特徴とする情報処理装置の表示方法。
【請求項８】
請求項１ないし５のいずれかに記載の情報処理装置における各手段としてコンピュータを機能させるためのプログラム。
【手続補正２】
【補正対象書類名】明細書
【補正対象項目名】発明の名称
【補正方法】変更
【補正の内容】
【発明の名称】情報処理装置、印刷・打刻複合装置、情報処理装置の表示方法、プログラム
【手続補正３】
【補正対象書類名】明細書
【補正対象項目名】０００１
【補正方法】変更
【補正の内容】
【０００１】
本発明は、複数種の入力情報を処理する情報処理装置、印刷・打刻複合装置、情報処理装置の表示方法、プログラムに関するものである。
【手続補正４】
【補正対象書類名】明細書
【補正対象項目名】０００５
【補正方法】変更
【補正の内容】
【０００５】
上記の問題に鑑み、本発明は、複数種の入力情報を処理する情報処理装置において、ユーザが戸惑うことなく、消去メニューのなかから所望の選択肢を選択することができる情報処理装置、印刷・打刻複合装置、情報処理装置の表示方法、プログラムを提供することをその課題とする。
【手続補正５】
【補正対象書類名】明細書
【補正対象項目名】０００６
【補正方法】変更
【補正の内容】
【０００６】
本発明の情報処理装置は、複数種の入力情報を入力可能な入力手段と、複数種の消去選択肢を記憶する消去選択肢記憶手段と、入力情報および消去選択肢を表示する表示手段と、を備え、表示手段は、消去選択肢記憶手段に記憶された複数種の消去選択肢のうち、入力手段により入力された入力情報の種類に対応した消去選択肢のみを表示することを特徴とする。
この場合、表示手段は、入力情報の編集位置を示し、かつ複数の入力情報間を移動可能なカーソルをさらに備え、カーソルの位置する入力情報の種類に対応した消去選択肢を表示することが好ましい。
この場合、複数種の入力情報には、墨字印刷を行うための墨字情報および点字打刻を行うための点字情報が含まれ、表示手段は、入力情報における点字情報の有無に対応した消去選択肢を表示することが好ましい。
この場合、消去選択肢には、入力情報を一括消去する全文消去、墨字情報を段落単位で消去する段落消去、および点字情報を一括消去する点字消去が含まれており、表示手段は、入力情報の種類が墨字情報のみの場合は、消去選択肢として全文消去および段落消去を表示し、入力情報の種類が点字情報のみの場合は、消去選択肢として全文消去および点字消去を表示し、入力情報の種類が墨字情報および点字情報の場合は、消去選択肢として全文消去、段落消去および点字消去を表示することが好ましい。
この場合、表示手段は、入力情報の編集位置を示し、かつ複数の入力情報間を移動可能なカーソルをさらに備え、入力情報の種類が墨字情報および点字情報の場合であって、カーソルが墨字情報に位置する場合、消去選択肢として全文消去、段落消去および点字消去を表示し、カーソルが点字情報に位置する場合、消去選択肢として全文消去および点字消去を表示することが好ましい。
本発明の印刷・打刻複合装置は、上記に記載の情報処理装置と、墨字情報に基づいて、処理シートに墨字を印刷する墨字印刷手段と、点字情報に基づいて、処理シートに点字を打刻する点字打刻手段と、を備えたことを特徴とする。
本発明の情報処理装置の表示方法は、複数種の入力情報を入力可能な情報処理装置の表示方法であって、記憶している複数種の消去選択肢のうち、入力された入力情報の種類に対応した消去選択肢のみを表示することを特徴とする。
本発明のプログラムは、上記に記載の情報処理装置における各手段としてコンピュータを機能させるためのものであることを特徴とする。
なお、以下の構成としても良い。
本発明の情報処理装置は、複数種の処理を行うための複数種の情報を入力可能な入力手段と、入力した１種以上の情報である入力情報を表示する入力情報表示手段と、複数種の消去選択肢から成る消去メニューを記憶する消去メニュー記憶手段と、複数種の消去選択肢のうち、入力手段により入力された情報に対応した消去選択肢のみを前記消去メニューとして表示する消去メニュー表示手段と、を備えたことを特徴とする。
【手続補正６】
【補正対象書類名】明細書
【補正対象項目名】００３９
【補正方法】変更
【補正の内容】
【００３９】
続いて、本実施形態のラベル作成装置１に係る墨字印刷および点字打刻を行うための文字情報（入力情報）の入力手順について説明を行う。図５（ａ）は、墨字印刷用の文字情報である墨字情報を入力する手順を示すものである。ユーザは、まず通常のテキスト編集画面Ｄ１０において、キーボード５を用いた所定のキー操作によって例えば「電話（記号）」を入力する。続いて、段落を追加し「内線」（１行目）および「営業部」（２行目）を入力する。さらに、段落を追加し「営業１課」（１行目）および「営業２課」（２行目）を入力する。その後、ユーザによって印刷の実行が指示されると、ラベル作成装置１は墨字印刷処理を開始し、図５（ａ）に示すラベルＬ１を作成する。このラベルＬ１には、上記した入力操作に基づいて段落１から段落３までの３つの段落から成る墨字情報が印刷されている。
【手続補正７】
【補正対象書類名】明細書
【補正対象項目名】００４１
【補正方法】変更
【補正の内容】
【００４１】
ユーザが点字情報の入力を所定のキー操作によって確定すると、点字情報編集画面Ｄ３０には、確定した点字情報のひらがな表記に加えて、カナ表記および点字表記がそれぞれプレビュー表示される。ユーザがこのプレビュー表示を視認した後、キーボード５のうち例えば確定キーの押下によって、入力された点字打刻用の文字情報が表示されるテキスト編集画面Ｄ１０へと画面遷移する。なお、図５（ｂ）の符号Ｍは、表示している文字情報が点字打刻用の文字情報であることを指標する点字マークであり、またこのときカーソルＫが文字情報の末尾に表示される。その後、ユーザによって点字打刻の実行が指示されると、ラベル作成装置１は点字打刻処理を開始し、図５（ｂ）に示すラベルＬ２を作成する。このラベルＬ２には、上記の入力操作に基づいて点字情報「エイギョー＿１＿２」が打刻されている。また、図５（ａ）に示す手順で入力した墨字情報と、図５（ｂ）に示す手順で入力した点字情報を同一のテープＴに印刷および打刻して墨字／点字併記ラベルＬ３（図５下部参照）を作成することももちろん可能である。なお、詳細な説明は省略するが、ユーザは適宜カーソルＫを用いて入力位置（編集位置）を指定しながら墨字情報および点字情報の入力（編集）を行い、また入力情報やカーソルＫの位置情報はＲＡＭ７５に一時的に保存される。
【手続補正８】
【補正対象書類名】明細書
【補正対象項目名】００４５
【補正方法】変更
【補正の内容】
【００４５】
なお、「カーソル位置が墨字情報に位置する」とは、図７（ａ）のテキスト編集画面Ｄ１０に示すように、例えば改行直後等にカーソルＫが先頭に位置するような場合も含まれる。但し、図７（ｂ）のテキスト編集画面Ｄ１０に示すように、墨字（空白を含む）として何れの入力もないときには、たとえカーソルＫが先頭に位置していてもラベル作成装置１は「墨字情報なし」と判別する。なお、入力情報の判別の際（Ｓ０１に該当）、墨字情報は必ず存在すると判別し入力情報が「点字情報のみ」であるとして判別する処理（Ｓ０３に該当）を省略する構成でもよい。また、墨字情報および点字情報の入力がある場合、カーソル位置の判別を行うことなく（Ｓ０４に該当）「全文消去」「段落消去」「点字消去」の全ての消去選択肢を表示する構成でもよい。
【手続補正９】
【補正対象書類名】明細書
【補正対象項目名】００４７
【補正方法】変更
【補正の内容】
【００４７】
さらに図８および図９を参照して具体的に説明する。図８は、墨字情報のみが入力されている場合に表示される消去メニュー（図８（ａ）参照）、および点字情報のみが入力されている場合に表示される消去メニュー（図８（ｂ）参照）を示すものである。図８（ａ）に示すように、例えば墨字情報として「会議室」（段落１；１行目）「第１」（段落２；１行目）、「第２」（段落２；２行目）が入力された場合、テキスト編集画面Ｄ１０からユーザが消去メニューの表示を指示すると、ラベル作成装置１は複数の消去選択肢のうち「全文消去」および「段落消去」を、表示する消去選択肢として決定し消去メニュー画面Ｄ４０を表示する。
【手続補正１０】
【補正対象書類名】明細書
【補正対象項目名】００４８
【補正方法】変更
【補正の内容】
【００４８】
消去メニュー画面Ｄ４０では、初期状態で「全文消去」が選択状態にあり、ユーザによる所定のキー操作によって「段落消去」を選択することができる。ユーザが「全文消去」を選択した場合、入力されている墨字情報全てが消去されるとともに、墨字情報に関する書式設定が初期状態に戻される。一方、ユーザが「段落消去」を選択した場合、カーソルＫが位置する段落の情報が消去される（図では「段落２」に属する「第２」文字列にカーソルＫが位置しているので、「段落２」に属する「第１」および「第２」が消去される）。また、図８（ｂ）に示すように、例えば点字情報として「カイギシツ」が入力された場合、テキスト編集画面Ｄ１０から、ユーザが消去メニューの表示を指示すると、ラベル作成装置１は、複数の消去選択肢のうち「全文消去」および「点字消去」を表示する消去選択肢として決定し、消去メニュー画面Ｄ４０を表示する。消去メニュー画面Ｄ４０では、初期状態で「全文消去」が選択状態にあり、ユーザによる所定のキー操作によって「点字消去」を選択することができる。ユーザが「全文消去」を選択した場合、入力された点字情報全てが消去されるとともに点字情報に関する書式設定が初期状態に戻され、「点字消去」を選択した場合、入力された点字情報全てが消去される。
【手続補正１１】
【補正対象書類名】明細書
【補正対象項目名】００４９
【補正方法】変更
【補正の内容】
【００４９】
図９は、墨字情報および点字情報の両方が入力されている場合に表示される消去メニューを示しており、図９（ａ）は、カーソル位置が点字情報の文字列に位置している例であり、図９（ｂ）は、カーソル位置が墨字情報の文字列に位置している例を示す。図９（ａ）に示すように、例えば墨字情報として「会議室」（段落１；１行目）「第１」（段落２；１行目）、「第２」（段落２；２行目）が入力され、点字情報として「カイギシツ」が入力された場合、テキスト編集画面Ｄ１０から、ユーザが消去メニューの表示を指示すると、ラベル作成装置１は、カーソル位置が点字情報の文字列に位置しているので、「全文消去」および「点字消去」を消去メニューとして設定し、消去メニュー画面Ｄ４０を表示する。
【手続補正１２】
【補正対象書類名】明細書
【補正対象項目名】００５０
【補正方法】変更
【補正の内容】
【００５０】
消去メニュー画面Ｄ４０では、初期状態で「点字消去」が選択状態にあり、ユーザによるキー操作によって「全文消去」を選択することができる。このとき、ユーザが「点字消去」を選択した場合、入力された点字情報全てが消去され、一方ユーザが「全文消去」を選択した場合、入力された墨字情報および点字情報全てが一括消去されるとともに、墨字情報および点字情報に関する書式設定が初期状態に戻される。また、図９（ｂ）に示すように、入力された墨字情報および点字情報が図９（ａ）に示す例と同様であり、カーソル位置が墨字情報の文字列に位置する場合では、テキスト編集画面Ｄ１０においてユーザが消去メニューの表示を指示すると、ラベル作成装置１は、カーソル位置が墨字情報の文字列に位置しているので、「全文消去」「段落消去」および「点字消去」を表示する消去選択肢として決定し、消去メニュー画面Ｄ４０を表示する。
【手続補正１３】
【補正対象書類名】明細書
【補正対象項目名】００５１
【補正方法】変更
【補正の内容】
【００５１】
消去メニュー画面Ｄ４０では、初期状態で「段落消去」が選択状態にあり、ユーザによるキー操作によって「全文消去」または「点字消去」を選択することができる。このとき、ユーザが「段落消去」を選択した場合、墨字情報のうちカーソルＫが位置する「段落１」に属する「会議室」が消去される。なお「全文消去」および「点字消去」が選択された場合については、図９（ａ）に示した例と同様であり説明は省略する。なお、消去メニュー画面Ｄ４０では、選択状態にある消去選択肢の概要を画面右部に表示する。従ってユーザは、「全文消去」や「段落消去」等を選択したときに、具体的にどの情報が消去されるのかを容易に把握することができる。